(57)【要約】【課題】使用者の体形に応じて、必要な箇所の形状を変形させて睡眠時における人体への負担を軽減させることができる掛布団を提供する。【解決手段】表地３と裏地４と中綿５とから構成され、表地３と裏地４との間に中綿５が介装されて接合されてなる掛布団構成体１を備えた掛布団である。掛布団構成体１を、体形に合わせた形状に維持でき、かつ任意に変形可能な金属製線状体２を掛布団構成体１に配設した。【選択図】図１
0003138587.tif 000002
【実用新案登録請求の範囲】
【請求項１】
表地と裏地と中綿とから構成され、前記表地と裏地との間に中綿が介装されて接合されてなる掛布団構成体を備えた掛布団であって、前記掛布団構成体を、体形に合わせた形状に維持でき、かつ任意に変形可能な金属製線状体を前記掛布団構成体に配設したことを特徴とする掛布団。
【請求項２】
前記掛布団構成体を平板状とした不使用状態において、前記金属製線状体を短手方向に沿って直線状に配設したことを特徴とする請求項１の掛布団。
【請求項３】
前記掛布団構成体の表地に短手方向に沿って延びる挿入孔を有するポケットを備え、このポケットの挿入孔に前記線状体を引出し可能に挿入して配設したことを特徴とする請求項１又は請求項２の掛布団。
【請求項４】
前記線状体は、線状の鉄製としたことを特徴とする請求項１〜請求項３のいずれか１項の掛布団。
【請求項５】
前記線状体は、線状のアルミニウム製としたことを特徴とする請求項１〜請求項３のいずれか１項の掛布団。
【請求項６】
前記線状体は合成樹脂の被覆層を備えたことを特徴とする請求項４又は請求項５の掛布団。
【請求項７】
前記線状体は断面円形とされ、その直径φを１ｍｍ≦φ≦６ｍｍとしたことを特徴とする請求項１〜請求項６のいずれか１項の掛布団。
【請求項８】
前記線状体の長さＬを９０ｃｍ≦Ｌ≦１５０ｃｍとしたことを特徴とする請求項２〜請求項７のいずれか１項の掛布団。
【考案の詳細な説明】
【技術分野】
【０００１】
本考案は、掛布団に関するものである。
【背景技術】
【０００２】
掛布団の保温材（中綿）は、例えば、綿、羊毛、及び羽毛等が用いられるのが一般的である。この中綿として、重量が比較的軽量な羽毛を用いた掛布団であっても、睡眠時において人体に負荷される重量は相当量なものである。このため、特に年配者、病人、虚弱体質、体調不良者に掛布団の重量が負荷される場合は、人体への負担が大きいものとなる。
【０００３】
掛布団から受ける重量を軽減するため、特許文献１に記載されたような枠体が提案されている。特許文献１のものは、寝具を支持する枠体であって、一対の長手方向枠を有しており、この長手方向枠に、円弧状に湾曲したドーム状の枠が複数個設けられている。そして、このドーム状の枠上に掛布団を掛けることにより、掛布団は枠に支持されて人体へ直接布団の重量が負荷されるのを防止している。
【特許文献１】実開平６−８０４２６号公報
【考案の開示】
【考案が解決しようとする課題】
【０００４】
前記特許文献１に記載のものは、一対の長手方向枠が床面に沿って設けられるので、寝返り等の際には長手方向枠が邪魔になって、水平方向の睡眠スペースを十分に確保することができない。また、ドーム状の枠や長手方向枠枠体を、掛布団とは別途設けなけばならないため、枠体を収納する際に嵩張るという問題もある。さらには、枠体が大掛かりなものであるため、人体の一部分に負荷される重量を取り除きたい場合に、体形に沿って掛布団を変形させたり、使用者の体形に応じて自在に掛布団の形状を変形させたりすることが困難であった。
【０００５】
本考案は、上記課題に鑑みて、使用者の体形に応じて、必要な箇所の形状を変形させて睡眠時における人体への負担を軽減させることができる掛布団を提供する。
【課題を解決するための手段】
【０００６】
本考案の掛布団は、表地と裏地と中綿とから構成され、前記表地と裏地との間に中綿が介装されて接合されてなる掛布団構成体を備えた掛布団であって、前記掛布団構成体を、体形に合わせた形状に維持でき、かつ任意に変形可能な金属製線状体を前記掛布団構成体に配設したものである。
【０００７】
本考案の掛布団によれば、掛布団構成体に金属製線状体を設けたので、所望の部位の線状体を上側に凸状となるように屈曲させることができて、屈曲させた線状体近傍の掛布団構成体の形状を、上側に凸状となるように変形させることができる。これにより、体形に合わせて任意の部位の掛布団構成体の形状を変形させることができ、また、その形状を維持することができる。
【０００８】
前記掛布団構成体を平板状とした不使用状態において、前記金属製線状体を短手方向に沿って直線状に配設することができる。これにより、多数の線状体を掛布団構成体に配設することができる。
【０００９】
前記掛布団構成体の表地に短手方向に沿って延びる挿入孔を有するポケットを備え、このポケットの挿入孔に前記線状体を引出し可能に挿入して配設することができる。これにより、掛布団構成体に線状体を配設することができる。また、線状体を挿入孔から引き出すことにより、線状体を掛布団構成体から取り外すことができる。線状体を掛布団構成体から取り外すと通常の掛布団となり、折り畳んだり洗濯したりすることができる。
【００１０】
前記線状体を、線状の鉄製としたり、線状のアルミニウム製としたりすることができる。線状体を鉄製とした場合、線状体は高強度なものとなって、一旦変形させると、長時間その形状を維持することができる。また、アルミニウム製とした場合、線状体は軽量かつ変形しやすいものとなる。
【００１１】
前記線状体は合成樹脂の被覆層を備えることができる。これにより、金属製の線状体が表面に露出するのを防止することができる。
【００１２】
前記線状体は断面円形とされ、その直径φを１ｍｍ≦φ≦６ｍｍとしたり、前記線状体を掛布団構成体の短手方向に沿って配設するとともに、前記線状体の長さＬを、９０ｃｍ≦Ｌ≦１５０ｃｍとしたりすることができる。
【考案の効果】
【００１３】
本考案の掛布団は、体形に合わせて任意の部位の掛布団構成体の形状を変形させることができ、また、その形状を維持することができるため、掛布団の重量が負荷されると負担となる部位に対応する位置の線状体を変形させて、掛布団からの重量の負荷を除去することができる。これにより、睡眠時における人体への負担を軽減させることができて、快適な睡眠を促すことができる。
【００１４】
金属製線状体を短手方向に沿って直線状に配設すると、多数の線状体を掛布団構成体に配設することができて、体形に沿って効果的に掛布団構成体を変形させることができる。
【００１５】
線状体を掛布団構成体に配設する場合は線状体を挿入孔に挿入し、取り外す場合は線状体を挿入孔から引き出すだけでよいので、線状体の配設及び取り外しを容易に行うことができる。また、必要な箇所にのみ線状体を取付けることができるとともに、掛布団構成体の所望の部位における形状維持が可能となり使い勝手がよい。さらに、線状体を取り外せば通常の掛布団となって、掛布団構成体を折り畳んでコンパクト化を図ることができて収納時や運搬時における利便性を向上させることができる。また、線状体を取り外せば掛布団構成体を洗濯することができて、衛生面での向上を図ることができる。
【００１６】
前記線状体を線状の鉄製とした場合、高強度なものとなって、長時間その形状を維持することができて、長期にわたって安定した機能を発揮することができる。また、線状体を線状のアルミニウム製とした場合、軽量かつ変形しやすいものとなって、取扱性の向上を図ることができる。
【００１７】
線状体が合成樹脂の被覆層を備えると、金属製の線状体が表面に露出するのを防止して、線状体の腐食を防止することができて耐用性に優れるものとなる。また、金属が露出するものに比較して外側が柔らかいため、取扱性に優れる。
【００１８】
前記線状体の直径φを１ｍｍ≦φ≦６ｍｍとしたり、線状体の長さＬを９０ｃｍ≦Ｌ≦１５０ｃｍとしたりすると、掛布団構成体外に突出することなく線状体を配設することができ、取扱性及び経済性に優れる。
【考案を実施するための最良の形態】
【００１９】
以下本考案の実施の形態を図１〜図６に基づいて説明する。
【００２０】
本考案の掛布団は、図４に示すように、横臥状態の使用者５０に被覆して使用するものである。なお、図４の５１は、敷布団を示す。この掛布団は、図１や図２に示すように、矩形状の掛布団構成体１と、掛布団構成体１を平板状とした不使用状態（図１参照）において、短手方向に沿って直線状に配設した金属製線状体２とを備える。
【００２１】
掛布団構成体１は、図１や図２に示すようないわゆるキルトであって、例えば、綿やポリエステル素材からなる表地と裏地との間に、綿、羊毛、羽毛等を入れ、重ねた状態で指し縫い（キルティング）したものである。これにより、短手方向に沿って所定ピッチで表地３と裏地４とを接合する短手方向接合部６が設けられ、長手方向に沿って所定ピッチで表地３と裏地４とを接合する長手方向接合部７が設けられている。この場合、短手方向接合部６は５箇所設けられており、第１接合部６ａ、第２接合部６ｂ、・・・第５接合部６ｅまで設けられている。長手方向接合部７は３箇所設けられており、第１接合部７ａ、第２接合部７ｂ、第３接合部７ｃが設けられている。これにより、掛布団構成体１は格子状に区分けされ、前記接合部６、７にて谷部１１が形成される。
【００２２】
掛布団構成体１の表地３には、図３に示すように、短手方向の接合部６に沿って延びる挿入孔を有するポケット８が５箇所形成される。すなわち、表地３（裏地４）と同一の素材からなる被覆材１２を、短手方向に沿って延びる谷部１１を覆うように、表地３と一体的に設けている。この被覆材１２と谷部１１とで、表地３の短手方向に沿って中空部を有するポケット８が形成される。この場合、ポケット８の全長は、長手方向の第１接合部７ａから第３接合部７ｃまでの長さとしている。
【００２３】
線状体２は、断面円形の線状の鉄製の芯材と、芯材を被覆する合成樹脂の被覆層１０とから構成されている。この場合、線状体２の直径φを、１ｍｍ〜６ｍｍの範囲とするのが望ましい。線状体２の全長は、前記ポケット８の全長と略同一の長さとしている。この場合、掛布団構成体１を平板状とした不使用状態において、９０ｃｍ〜１５０ｃｍの範囲とするのが望ましい。本実施形態では、ポケット８の数に対応して、５本の線状体２を設けており、ポケット８の挿入孔に挿入して配設されている。この線状体２は、体形に合わせた形状に維持でき、かつ任意に変形可能とすることができる。なお、被覆層１０を省略することもできる。
【００２４】
このように、本考案では、掛布団構成体１に金属製線状体２を設けたので、図４に示すように、所望の部位の線状体２を上側に凸状となるように屈曲させることができて、屈曲させた線状体近傍の掛布団構成体１の形状を、上側に凸状となるように変形させることができる。これにより、体形に合わせて任意の部位の掛布団構成体１の形状を変形させることができ、また、その形状を維持することができるため、掛布団の重量が負荷されると負担となる部位に対応する位置の線状体を変形させて、掛布団からの重量の負荷を除去することができる。これにより、睡眠時における人体への負担を軽減させることができて、快適な睡眠を促すことができる。
【００２５】
掛布団構成体１を平板状とした不使用状態において、金属製線状体２を短手方向に沿って直線状に配設しているので、多数の線状体２を掛布団構成体１に配設することができて、体形に沿って効果的に掛布団構成体１を変形させることができる。
【００２６】
線状体２を掛布団構成体１に配設する場合は線状体２を挿入孔に挿入し、取り外す場合は線状体２を挿入孔から引き出すだけでよいので、線状体２の配設及び取り外しを容易に行うことができる。また、必要な箇所にのみ線状体２を取付けることができるとともに、掛布団構成体１の所望の部位における形状維持が可能となり使い勝手がよい。さらに、線状体２を取り外せば通常の掛布団となって、掛布団構成体１を折り畳んでコンパクト化を図ることができて収納時や運搬時における利便性を向上させることができる。また、線状体２を取り外せば掛布団構成体１を洗濯することができて、衛生面での向上を図ることができる。
【００２７】
線状体２を、線状の鉄製としたので、線状体２は高強度なものとなって、一旦変形させると長時間その形状を維持することができる。これにより、長期にわたって安定した機能を発揮することができる。
【００２８】
線状体２は合成樹脂の被覆層を備えているので、金属性の線状体２が表面に露出するのを防止して、線状体２の腐食を防止することができて耐用性に優れるものとなる。また、金属が露出するものに比較して外側が柔らかいため、取扱性に優れる。
【００２９】
線状体２は断面円形とされ、その直径φを１ｍｍ≦φ≦６ｍｍとしたり、線状体２の長さＬを、９０ｃｍ≦Ｌ≦１５０ｃｍとしているので、掛布団構成体外に突出することなく線状体２を配設することができ、取扱性及び経済性に優れる。
【００３０】
他の実施形態として、図１の仮想線で示すように、ポケット８を、短手方向に沿って延びて隣り合う谷部１１、１１の間に設けることができる。これによって、線状体２を、端手方向に沿って隣り合う谷部１１、１１の間に設けることができる。
【００３１】
また、図５に示すように、ポケット８及び線状体２の長さを、前記実施形態よりも長くすることができる。また、前記実施形態よりも短くすることができる。この場合、ポケット８及び線状体２の長さを、掛布団構成体１の長辺の一端部から他端部までの長さとすることもできる。
【００３２】
さらに、図６に示すように、各ポケット８の長さを異なるものとするとともに、線状体２の長さを異なるものとすることができる。また、各ポケット８の長さを同じものとして、線状体２の長さを異なるものとしたり、各ポケット８の長さを異なるものとして、線状体２の長さを同一のものとしたりしてもよい。
【００３３】
ところで、線状体２の芯材は、前記実施形態では鉄製であったが、芯材をアルミニウム製とすることができる。アルミニウム製とした場合、線状体２は軽量かつ変形しやすいものとなって、取扱性の向上を図ることができる。この場合も、アルミニウムの芯材のみで線状体２を構成してもよく、また、アルミニウムの芯材と、芯材を合成樹脂で被覆した被覆層１０とで線状体２を構成してもよい。
【００３４】
以上、本考案の実施形態につき説明したが、本考案は前記実施形態に限定されることなく種々の変形が可能であって、例えば、掛布団構成体１の大きさとしては、一人用のものに限られず、複数人を覆うことができる大きさのものであってもよい。また、中綿５の材質としては、軽量であり、クッション性を有するものであって、かつ、保温性等を有するものであれば種々のものを採用できる。接合部６、７の数としては、実施形態のものに限られず、間隔も等ピッチでなくてもよい。また、直線状でなくてもよく、曲線のものであったり、掛布団構成体１の短辺や長辺に対して斜めのものであったりしてもよい。また、接合部６、７にて形成される格子の数は任意であり、その形状も正方形に限られず、長方形、菱形、円形、楕円形等種々の形状とすることができる。被覆材１２の材質としては、表地３や裏地４と別の素材であってもよく、被覆材１２を省略して、線状体１２を直接掛布団構成体１に縫い付ける等して固定してもよい。
【００３５】
線状体２の数や、太さ、長さ、材質としては、実施形態のものに限られない。すなわち線状体２の断面形状としては円形でなくてもよく、三角形、四角形、多角形であってもよい。また、１本の金属線でなく、より線であってもよい。線状体２の材質としては、鉄やアルミニウムに限られない。また、金属製のものに限られず、例えば、内部に鉛線などを内装し、柔軟性のあるプラスチック、ゴム等にて成型してなるものを使用してもよい。この場合、線状体２は、柔軟性と保形性を併せもち、掛布団構成体１の外形に密着するものとなる。被覆層１０の材質としては、天然ゴム（ＮＲ）、スチレンゴム（ＳＢＲ）、ブタジエンゴム（ＳＢＲ）、シリコーンゴム（Ｑ）等種々の合成樹脂を採用することができる。線状体２やポケット８は、等ピッチに配設しなくてもよく、不等ピッチに配設してもよい。線状体２を、短手方向に沿った方向以外の方向に配設してもよく、長手方向に沿った方向や、掛布団構成体１の短辺や長辺に対して斜めの方向に配設してもよい。また、使用時において、全てのポケット８に線状体２を挿入しなくてもよい。ポケット８に線状体２を挿入した後、線状体２が外れるのを防止するためにポケット８の端部を布地等で覆ってもよい。ポケット８は、表地３の上側（反使用者側）に設けるのが望ましいが、表地３の下側（使用者側）に設けることもできる。
【図面の簡単な説明】
【００３６】
【図１】本考案の掛布団の平面図である。
【図２】本考案の掛布団の断面図である。
【図３】本考案の掛布団の要部拡大である。
【図４】本考案の掛布団の他の実施形態を示す平面図である。
【図５】本考案の掛布団の別の実施形態を示す平面図である。
【図６】本考案の使用状態を示す斜視図である。
【符号の説明】
【００３７】
１     掛布団構成体
２     線状体
３     表地
４     裏地
５     中綿
８     ポケット
【図１】
0003138587.tif 000003
【図２】
0003138587.tif 000004
【図３】
0003138587.tif 000005
【図４】
0003138587.tif 000006
【図５】
0003138587.tif 000007
【図６】
0003138587.tif 000008